(57)【要約】【課題】  軍需品用の収容クレードル及び関連除去方法を提供する。【解決手段】  本発明は、排出手段（１３）によって第１の軸Ｘに沿って延在する筒（１２）から除去される軍需品（１１）を収容するように意図されている収容クレードル（１０）であって、  ａ．筒（１２）の出口端部（１６）に固定されるように意図されている固定ベース（１５）を含む構造体（１４）と、  ｂ．第１の軸Ｘに沿って実質的に延在する収容バッグ（１７）であって、構造体（１４）に固定されており、軍需品（１１）を収容するように意図されている収容バッグ（１７）とを含む収容クレードル（１０）に関する。  更に、本発明は、筒から軍需品を除去する方法に関する。【選択図】図２
2020201035.tif 000002
【特許請求の範囲】
【請求項１】
排出手段（１３）によって第１の軸Ｘに沿って延在する筒（１２）から除去される軍需品（１１）を収容するように意図されている収容クレードル（１０）であって、
ａ．前記筒（１２）の出口端部（１６）に固定されるように意図されている固定ベース（１５）を含む構造体（１４）と、
ｂ．前記第１の軸Ｘに沿って実質的に延在する収容バッグ（１７）であって、前記構造体（１４）に固定されており、前記軍需品（１１）を収容するように意図されている収容バッグ（１７）と
を含む収容クレードル（１０）。
【請求項２】
前記構造体（１４）は、第１の端部（１９）で前記固定ベース（１５）に各々が接続されている第１のアーム（２１）及び第２のアーム（２２）を含み、前記収容バッグ（１７）は、前記２つのアーム（２１、２２）と前記固定ベース（１５）とに固定されていることを特徴とする、請求項１に記載の収容クレードル（１０）。
【請求項３】
前記固定ベース（１５）は、Ｕ字形であり、内部（２３）は、前記筒（１２）の前記出口端部（１６）の外部（２４）と接触しているように意図されていることを特徴とする、請求項２に記載の収容クレードル（１０）。
【請求項４】
前記収容バッグ（１７）は、
ａ．前記２つのアーム（２１、２２）の第２の端部（２６）に位置決めされており、前記軍需品（１１）用の止め具を形成するように構成されている拘束コーン（２５）と、
ｂ．前記拘束コーン（２５）を保持し、前記拘束コーン（２５）を前記２つのアーム（２１、２２）と前記固定ベース（１５）とに接続するデバイス（２７）と
を含むことを特徴とする、請求項２又は３に記載の収容クレードル（１０）。
【請求項５】
前記拘束コーン（２５）を保持する前記デバイス（２７）は、
ａ．２つのラッチ点（３３、３４）（前記２つのラッチ点のうち第１のラッチ点（３３）は前記第１のアーム（２１）に位置決めされ、前記２つのラッチ点のうち第２のラッチ点（３４）は前記第２のアーム（２２）に位置決めされている）の所まで前記拘束コーン（２５）の両側に前記拘束コーン（２５）から延在する２つの横ストラップ（３１、３２）と、
ｂ．前記固定ベース（１５）の所まで前記拘束コーン（２５）から延在する装着ストラップ（３５）と
を含むことを特徴とする、請求項４に記載の収容クレードル（１０）。
【請求項６】
前記固定ベース（１５）は、前記筒（１２）の前記出口端部（１６）への前記収容クレードル（１０）の取り付け中に、前記第１の軸Ｘと実質的に垂直な第２の軸Ｙの周りに前記収容クレードル（１０）が回転することができるようにするために、前記筒（１２）のカラー（４２）の一部と係合するように意図されているラッチノーズ（３６）を前記固定ベース（１５）の外部（４３）に含むことを特徴とする、請求項１〜５のいずれか一項に記載の収容クレードル（１０）。
【請求項７】
前記アーム（２１、２２）は、伸縮自在であり、前記２つのラッチ点（３３、３４）のうち各々の１つは、前記ラッチ点が位置決めされる前記アーム（２１、２２）の上を摺動するように構成されていることを特徴とする、請求項２及び５に記載の収容クレードル（１０）。
【請求項８】
ロック解除位置から、前記固定ベース（１５）を前記筒（１２）の前記出口端部（１６）の周りに適所に保持するロック位置に、及び前記ロック位置から前記ロック解除位置に移行することができるロックデバイス（５１）を含み、前記ロックデバイス（５１）は、
ａ．前記筒（１２）の前記出口端部（１６）の形状を少なくとも部分的に一致させるように構成されているハンドル（５２）と、
ｂ．前記ハンドル（５２）を前記固定ベース（１５）に固定する手段（５３）と
を含むことを特徴とする、請求項１〜７のいずれか一項に記載の収容クレードル（１０）。
【請求項９】
前記ハンドル（５２）を前記固定ベース（１５）に固定する前記手段（５３）は、ボール継手接続部（５４）と、平面座面（５５）とを含むことを特徴とする、請求項８に記載の収容クレードル（１０）。
【請求項１０】
排出手段（１３）によって第１の軸Ｘに沿って延在する筒（１２）から軍需品（１１）を除去する方法であって、
ａ．収容クレードル（１０）を前記筒（１２）の出口端部（１６）に固定するステップ（１０１）と、
前記収容クレードル（１０）は、
ｉ．前記筒（１２）の出口端部（１６）に固定されるように意図されている固定ベース（１５）を含む構造体（１４）と、
ｉｉ．前記第１の軸Ｘに沿って実質的に延在する収容バッグ（１７）であって、前記構造体（１４）に固定されており、前記軍需品（１１）を収容するように意図されている収容バッグ（１７）とを含み、
ｂ．前記排出手段（１３）を作動させるステップ（１０２）と、
ｃ．前記軍需品（１１）を排出するステップ（１０３）と、
ｄ．前記軍需品（１１）を前記収容バッグ（１７）に収容するステップ（１０４）と
を含む方法。
【請求項１１】
前記固定ベース（１５）は、ラッチノーズ（３６）を前記固定ベース（１５）の外部（４３）に含み、前記クレードル（１０）は、ロック解除位置から、前記固定ベース（１５）を前記筒（１２）の前記出口端部（１６）の周りに適所に保持するロック位置に、及び前記ロック位置から前記ロック解除位置に移行することができるロックデバイス（５１）を含み、前記収容クレードル（１０）を前記筒（１２）の前記出口端部（１６）に固定するステップ（１０１）は、
ａ．前記ラッチノーズ（３６）を前記筒（１２）のカラー（４２）の一部と係合させるステップ（１１１）と、
ｂ．前記第１の軸Ｘと実質的に垂直な第２の軸Ｙの周りに前記収容クレードル（１０）を回転させるステップ（１１２）と、
ｃ．前記ロックデバイス（５１）をロックするステップ（１１３）と
を含むことを特徴とする、請求項１０に記載の除去方法。
【発明の詳細な説明】
【技術分野】
【０００１】
本発明は、銃身筒、例えば１２０ｍｍライフル迫撃砲（但し、限定されない）から軍需品を除去する技術分野に関する。特に有利なことに、本発明は、銃身筒に引っかかった軍需品、又は不発の場合の軍需品の場合に適用できる。
【背景技術】
【０００２】
現在、コードに装着されたつめ付きエキストラクターを用いて、軍需品を除去する。このような先行技術のエキストラクター５を、図１に示す。エキストラクター５を、ユーザによって銃身筒に摺動する。エキストラクター５は、重力の影響下で軍需品の信管７にラッチする１組のつめ６を含む。この状況で、信管は、軍需品の前部チップを意味するものとする。次に、ユーザは、エキストラクター５のハンドル８に装着されたコードを用いて、軍需品を除去する。この方法は、専門職で広く使用されているが、このようなシステムの使用は、技術的な限界を有する。銃身筒の銃口に引っかかった軍需品を放出することができない。その上、軍需品に使用される様々なタイプの信管にエキストラクターを適合させる必要がある。更に、エキストラクターを銃身筒に挿入する場合、ユーザに危険が生じ、ユーザは、筒銃口の前にユーザの手を通す必要がある。軍需品が銃身筒から出た場合、ユーザの手を誤った位置に置くと、エキストラクターが外れて、軍需品が銃身筒の底に戻ることがあり、その結果、軍需品の望ましくない発火の危険性がある。
【０００３】
スイス特許第６２４  ４８０号明細書には、圧縮空気の注入によって銃身から軍需品を除去するデバイス及び方法が記載されている。この方法は、握られるのに十分なだけ銃身から軍需品が出るように、注入圧縮空気の圧力の調整を当てにする。この方法は、圧力調整用の複雑な機器を必要とする。更に、除去軍需品が、地面と銃口との間の高さから落ちる危険性がある。その結果、軍需品が爆発する危険性がある。
【先行技術文献】
【特許文献】
【０００４】
【特許文献１】スイス特許第６２４  ４８０号明細書
【発明の概要】
【課題を解決するための手段】
【０００５】
本発明の目的は、どんな信管でも、特に圧縮空気の注入によって、筒から軍需品を排出する手段によって除去される軍需品を収容するのに役立つ収容クレードルを提案することによって、上述の課題の全部又は一部を改善することにある。更に、収容クレードルは、任意の適切な排出手段によって筒から軍需品を排出した後、銃口に引っかかった軍需品を回収するのに役立つ。銃身の銃口の前にユーザの身体の全部又は一部をユーザが決して通さないという事実のために、この種のデバイスは特に安全である。更に、軍需品が筒の底に戻る危険性を排除する。
【０００６】
このために、本発明は、排出手段によって第１の軸Ｘに沿って延在する筒から除去される軍需品を収容するように意図されている収容クレードルであって、
ａ．筒の出口端部に固定されるように意図されている固定ベースを含む構造体と、
ｂ．第１の軸Ｘに沿って実質的に延在する収容バッグであって、構造体に固定されており、軍需品を収容するように意図されている収容バッグと
を含む収容クレードルに関する。
【０００７】
有利なことに、構造体は、第１の端部で固定ベースに各々が接続されている第１のアーム及び第２のアームを含み、収容バッグは、２つのアームと固定ベースとに固定されている。
【０００８】
有利なことに、固定ベースは、Ｕ字形であり、内部は、筒の出口端部の外部と接触しているように意図されている。
【０００９】
有利なことに、収容バッグは、
ａ．２つのアームの第２の端部に位置決めされており、軍需品用の止め具を形成するように構成されている拘束コーンと、
ｂ．拘束コーンを保持し、拘束コーンを２つのアームと固定ベースとに接続するデバイスと
を含む。
【００１０】
有利なことに、拘束コーンを保持するデバイスは、
ａ．２つのラッチ点（２つのラッチ点のうち第１のラッチ点は第１のアームに位置決めされ、２つのラッチ点のうち第２のラッチ点は第２のアームに位置決めされている）の所まで拘束コーンの両側に拘束コーンから延在する２つの横ストラップと、
ｂ．固定ベースの所まで拘束コーンから延在する装着ストラップと
を含む。
【００１１】
有利なことに、固定ベースは、筒の出口端部への収容クレードルの取り付け中に、第１の軸Ｘと実質的に垂直な第２の軸Ｙの周りに収容クレードルが回転することができるようにするために、筒のカラーの一部と係合するように意図されているラッチノーズを固定ベースの外部に含む。
【００１２】
有利なことに、収容クレードルは、ロック解除位置から、固定ベースを筒の出口端部の周りに適所に保持するロック位置に、及びロック位置からロック解除位置に移行することができるロックデバイスを含み、ロックデバイスは、
ａ．筒の出口端部の形状を少なくとも部分的に一致させるように構成されているハンドルと、
ｂ．ハンドルを固定ベースに固定する手段と
を含む。
【００１３】
有利なことに、ハンドルを固定ベースに固定する手段は、ボール継手接続部と、平面座面とを含む。
【００１４】
有利なことに、アームは、伸縮自在であり、２つのラッチ点のうち各々の１つは、ラッチ点が位置決めされるアームの上を摺動するように構成されている。
【００１５】
更に、本発明は、排出手段によって第１の軸Ｘに沿って延在する筒から軍需品を除去する方法であって、
ａ．収容クレードルを筒の出口端部に固定するステップと、
収容クレードルは、
ｉ．筒の出口端部に固定されるように意図されている固定ベースを含む構造体と、
ｉｉ．第１の軸Ｘに沿って実質的に延在する収容バッグであって、構造体に固定されており、軍需品を収容するように意図されている収容バッグとを含み、
ｂ．排出手段を作動させるステップと、
ｃ．軍需品を排出するステップと、
ｄ．軍需品を収容バッグに収容するステップと
を含む方法に関する。
【００１６】
固定ベースは、ラッチノーズを固定ベースの外部に含み、クレードルは、ロック解除位置から、固定ベースを筒の出口端部の周りに適所に保持するロック位置に、及びロック位置からロック解除位置に移行することができるロックデバイスを含み、収容クレードルを筒の出口端部に固定するステップは、
ａ．ラッチノーズを筒のカラーの一部と係合させるステップと、
ｂ．第１の軸Ｘと実質的に垂直な第２の軸Ｙの周りに収容クレードルを回転させるステップと、
ｃ．ロックデバイスをロックするステップと
を含む。
【００１７】
添付図面によって説明を図示する、一例として与えられる一実施形態の詳細な説明を読めば、本発明は、よく理解され、更なる利点は、明白になるであろう。
【図面の簡単な説明】
【００１８】
【図１】先行技術から知られているエキストラクターを概略的に示す。
【図２】本発明による筒の出口に設置された収容クレードルを概略的に示す。
【図３】本発明による展開及び折り畳み構成で収容クレードルの構造体を概略的に示す。
【図４】本発明による収容クレードルを概略的に示す。
【図５】本発明による収容クレードルの収容バッグの第１の図を概略的に示す。
【図６】本発明による収容クレードルの収容バッグの第２の図を概略的に示す。
【図７】本発明による筒の出口端部における収容クレードルの取り付けを概略的に示す。
【図８】本発明による筒の出口端部における収容クレードルのロックを概略的に示す。
【図９】本発明による伸縮アームを有する収容クレードルの実施形態を概略的に示す。
【図１０】本発明による排出手段を用いて筒から軍需品を除去する方法のステップを概略的に示す。
【発明を実施するための形態】
【００１９】
分かりやすくするために、これらの図面は、全て同じ縮尺であるとは限らない。更に、様々な図面で、同じ要素には同じ参照符号が表示されている。
【００２０】
図１は、先行技術から知られているエキストラクターを概略的に示し、序文で既に提示されている。
【００２１】
図２は、本発明による筒の出口に設置された収容クレードル１０を概略的に示す。収容クレードル１０は、排出手段１３によって第１の軸Ｘに沿って延在する筒１２から除去される軍需品１１を収容するように意図されており、この収容クレードル１０は、構造体１４と、第１の軸Ｘに沿って実質的に延在する収容バッグ１７とを含み、この収容バッグ１７は、構造体１４に固定されており、軍需品１１を収容するように意図されている。本発明は、例えば、圧縮空気の注入、不活性ガスの注入によって、又は軍需品の後部に力を加えることによって、任意の適切な排出手段に適用する。下記において、圧縮空気の注入として排出手段を扱い、その際、本発明をその例に限定しない。収容クレードルの長さと実質的に等しい長さを有する軍需品１１を示す。しかし、軍需品の長さ及び直径が収容クレードル１０の長さ及び直径未満であるという条件で、本発明は、軍需品のどんな長さ及び直径でも適用する。構造体１４の質量を出来るだけ軽くするために、構造体１４を、例えばアルミニウムで構成してもよい。
【００２２】
図３は、展開及び折り畳み構成で、本発明による収容クレードル１０の構造体１４を概略的に示す。構造体１４は、図面の左側で展開構成であり、図面の右側で折り畳み構成である。構造体１４は、筒１２の出口端部１６に固定されるように意図されている固定ベース１５を含む。有利なことに、構造体１４は、第１の端部１９で固定ベース１５に各々が接続されている第１のアーム２１及び第２のアーム２２を含む。アーム２１、２２を、互いに実質的に平行に、及び第１の軸Ｘと実質的に平行に示す。しかし、この構成は、好ましいが、強制的でなく、２つのアーム２１、２２は、２つの発散又は収束方向に沿って延在してもよい。収容バッグ１７は、２つのアーム２１、２２と固定ベース１５とに固定されている。
【００２３】
図４は、本発明による収容クレードル１０を概略的に示す。固定ベース１５は、Ｕ字形であり、内部２３は、図７に示すように、筒１２の出口端部１６の外部２４と接触しているように意図されている。収容バッグ１７は、固定ベース１５の内部２３、即ちＵ字形の中央部で、及び上端部、即ちＵ字形の中央部から延在する部分及びＵ字形の中央部の両側で、固定ベース１５に固定されている。
【００２４】
図５は、本発明による収容クレードル１０の収容バッグ１７の第１の図を概略的に示す。収容バッグ１７は、２つのアーム２１、２２の第２の端部２６に位置決めされており、軍需品１１用の止め具を形成するように構成されている拘束コーン２５と、拘束コーン２５を保持し、拘束コーン２５を２つのアーム２１、２２と固定ベース１５とに接続するデバイス２７とを含む。
【００２５】
拘束コーン２５は、本発明による収容クレードル１０の主な要素を構成する。実際に、拘束コーン２５は、軍需品１１の表面の高温に熱的に耐えることができ、引っかかっていない軍需品１１の除去中に激しい衝撃の場合に機械的に耐えることができなければならない。
【００２６】
拘束コーン２５を保持するデバイス２７は、２つのラッチ点３３、３４（２つのラッチ点のうち第１のラッチ点３３は第１のアーム２１に位置決めされ、２つのラッチ点のうち第２のラッチ点３４は第２のアーム２２に位置決めされている）の所まで拘束コーン２５の両側に拘束コーン２５から延在する２つの横ストラップ３１、３２を含む。保持デバイス２７は、固定ベース１５の所まで拘束コーン２５から延在する装着ストラップ３５を更に含む。拘束コーン２５、横ストラップ３１、３２及び装着ストラップ３５からなる組立体は、軍需品を止めて保持するために必要な機械的強度を与えるのに適している。取り扱いを容易にするために、ポケットを形成する組立体によって、拘束コーン２５及びストラップを接続する。
【００２７】
拘束コーン２５を、有利なことに開いたコーンによって規定する。このコーンは、非常に強いストラップの複数のフープ６１として設計されている。これらのフープ６１は、除去中に出来るだけ長い長さにわたって力を分散させるために、特に構造体１４の接合部分の所まで、有利なことに収容バッグ１７の全長にわたって、例えば長いシームによって収容バッグ１７にそれ自体接続された他のストラップ６２によって互いに接続されている。軍需品１１の信管の尖っている機械的に強い端部が任意の分裂を開始しないように、拘束コーン２５は、有利なことに開いている。一緒に追加された複数のフープの使用は、軍需品１１を「跳ね返す」影響を制限するのに役立つ。発射体の本体の端部直径よりも僅かに小さい端部直径を有する、この種の拘束コーン２５は、衝撃を回避することを可能にする。実際に、発射体は、拘束コーン２５のネックによって与えられる制動によって拘束される。拘束コーン２５を、軍需品１１の本体の外形と同様な円形開口部で示すことに留意しよう。本発明は、発射体を収容クレードル１０に保持するために、発射体の本体の端部直径よりも僅かに小さい端部直径の非円形開口部で同様に適用される。
【００２８】
一方、収容バッグ１７（ストラップ及びポケットからなる）は、一旦発射体が拘束コーン２５によって止められると、発射体を回収するのに役立つ。収容バッグ１７の深さの目的は、軍需品１１が筒１２に後退しないようにするために、迫撃砲の仰角が何でも、筒１２から軍需品１１をずらすことである。換言すれば、軍需品の縦軸は、軸Ｘと実質的に平行のままであることができるが、軍需品が筒に後退することができないように、軍需品の縦軸は、軸Ｘに対して十分にずれている。有利なことに、ポケット及びストラップを含む収容バッグ１７は、収容バッグ１７の外側の機械抵抗層、及び収容バッグ１７の内側の耐熱層（少なくとも１００℃まで）の２層の布からなる。これは、例えば、耐火性合成布の層であってもよい。
【００２９】
収容バッグ１７は、消耗部品であり、軍需品との唯一の接合部分である。収容バッグ１７が劣化した場合、収容バッグ１７を収容クレードル１０から取り外すことができるように、収容バッグ１７を、構造体１４に取り外し可能に接続することができる。
【００３０】
図６は、本発明による収容クレードル１０の収容バッグ１７の第２の図を概略的に示す。収容バッグ１７は、互いに機械的に接続された複数の異なる部品からなることができるが、収容バッグ１７を１つの片で構成することが好ましい。構造体１４を分解することなく収容バッグ１７を取り外すことができるように、収容クレードル１０の２つのアーム２１、２２上の収容バッグ１７の固定点を設計してもよい。
【００３１】
従って、ホースによって圧縮空気タンクを安全弁に接続することによって、軍需品１１を、例えば、筒１２の下部で、有利なことに迫撃砲の既存の安全弁で、圧縮空気１３の注入によって除去する。
【００３２】
圧縮空気１３は、軍需品を押し、その後、軍需品を収容クレードル１０で回収する。除去工程中に、軍需品１１を、収容バッグ１７の前部によって拘束し、後述のように、軍需品１１は、収容バッグ１７の底まで落ちる。その結果、軍需品が、筒１２から完全に出ており、後退することができない場合、ユーザは、十分安全にのみ介入する。更に、先行技術のつめ付きエキストラクターと同様に、軍需品の信管をラッチ点として使用しないので、本発明による収容クレードルは、どんな信管を使用しても、軍需品を引き出すことができる。これにより、適所の軍需品、又は銃口又は筒内の任意の点に引っかかった軍需品を除去することができる。
【００３３】
図７は、本発明による筒１２の出口端部１６における収容クレードル１０の取り付けを概略的に示す。固定ベース１５は、筒１２の出口端部１６への収容クレードル１０の取り付け中に、第１の軸Ｘと実質的に垂直な第２の軸Ｙの周りに収容クレードル１０が回転することができるようにするために、筒１２のカラー４２の一部と係合するように意図されているラッチノーズ３６を固定ベース１５の外部４３に含む。有利なことに、カラー４２は、迫撃砲に属するベースプレートのカラーであり、カラー４２は、単純なファスナーを用いてロックする。それにもかかわらず、収容クレードル１０を第２の軸Ｙの周りに回転させることができるために、ラッチノーズ３６が押すようになることができる部分をカラーが有するという条件で、任意のタイプのカラーを使用することができる。ラッチノーズ３６は、筒１２の出口端部１６で第１の軸Ｘに沿って一直線上に収容クレードル１０を容易に位置決めすることができる。
【００３４】
一旦収容クレードル１０が筒１２の出口端部１６で適切な位置に置かれると、収容クレードル１０を、そこに保持されるようにその位置にロックする必要がある。
【００３５】
図８は、本発明による筒１２の出口端部１６における収容クレードル１０のロックを概略的に示す。収容クレードル１０は、ロック解除構成から、固定ベース１５を筒１２の出口端部１６の周りに適所に保持するロック構成に、及びロック構成からロック解除構成に移行することができるロックデバイス５１を含み、このロックデバイス５１は、筒１２の出口端部１６の形状を少なくとも部分的に一致させるように構成されているハンドル５２と、このハンドル５２を固定ベース１５に固定する手段５３とを含む。従って、ロックデバイス５１を、必要に応じて何度でもロック及びロック解除することができる。ハンドル５２は、筒と共に少なくとも点座面を形成する。有利な一実施形態において、ハンドル５２と筒１２との間の接触は、実質的に平面座面である。好ましい一実施形態において、ハンドル５２は、表面にわたって筒１２と接触しており、ハンドル５２は、筒１２の形状を一致させるように意図されている湾曲領域５６を有する。
【００３６】
固定手段５３は、基本的なもの、例えば、ねじナット組立体であることができる。本発明の好ましい一実施形態において、ハンドル５２を固定ベース１５に固定する手段５３は、ボール継手接続部５４と、平面座面５５とを含む。換言すれば、収容クレードル１０を、ハンドル５２及び固定手段５３によって筒１２の上端にわたってロックする。ハンドル５２を、ボール継手に取り付けて、機械的止め具（平面座面５５）を回して通すことができる。ボール継手接続部のために、ハンドルは、第１の軸Ｘと平行な軸の周りに、及び点５４で軸Ｘ及び軸Ｙと垂直な第３の軸の周りに回転移動することができる。これらの２つの軸の周りの組み合わせ回転において、ハンドル５２は、ハンドル５２の取り扱い中にユーザによって加えられる僅かな力（これは、数度のオーダーだけ収容クレードル１０を傾けることに対応する）に応じて、止め具５５、例えば、ねじ頭の下側で平面座面を形成するねじ頭の下を通る。ハンドル５２は、止め具としての機能を果たす座面にねじ頭を形成するように意図されている肩を含む。一旦この機械的止め具５５が通されると、収容クレードル１０は、重力によってロックされる。より詳細には、重力は、重力の方向に収容クレードル１０を引き付ける。ねじ頭５５の下側を、ハンドル５２の肩の上位レベルで動かなくする。次に、収容クレードル１０を、筒１２の出口端部１６における適切な位置で動かなくする。更に、筒１２とのハンドルの表面接触５６で、収容クレードル１０は、不静定であり、収容クレードル１０を筒１２の出口における適切な位置で完全に保持することを保証する。
【００３７】
図９は、本発明による伸縮アームを有する収容クレードル１０の別の実施形態を概略的に示す。この実施形態において、アーム２１、２２は、伸縮自在であり、２つのラッチ点３３、３４のうち各々の１つは、ラッチ点が位置決めされるアーム２１、２２の上を摺動するように構成されている。収容バッグ１７は、収容クレードル１０の伸縮アームに適合するように構成されている。換言すれば、収容バッグ１７を折り畳むことができる。これにより、収容クレードル１０を運ぶ場合、空間を節約することができる。
【００３８】
図１０は、本発明による排出手段を用いて筒から軍需品を除去する方法のステップを概略的に示す。排出手段１３によって第１の軸Ｘに沿って延在する筒１２から軍需品１１を除去する方法は、収容クレードル１０を筒１２の出口端部１６に固定するステップ１０１を含み、収容クレードル１０は、筒１２の出口端部１６に固定されるように意図されている固定ベース１５を含む構造体１４と、第１の軸Ｘに沿って実質的に延在する収容バッグ１７であって、構造体１４に固定されており、軍需品１１を収容するように意図されている収容バッグ１７とを含む。本発明による方法は、排出手段を作動させるステップ１０２を含む。圧縮空気を注入する例において、これは、圧縮空気１３を筒１２に注入するステップ１０２である。更に、方法は、この例において、筒１２における圧縮空気１３の作用で、軍需品１１を排出するステップ１０３を含む。最後に、本発明による方法は、軍需品１１を収容バッグ１７に収容するステップ１０４を含む。本発明による方法は、圧力の調整無しで動作するという利点を有する。軍需品を収容クレードルに回収するので、圧力を制御する必要がない。
【００３９】
固定ベース１５がラッチノーズ３６を固定ベース１５の外部４３に含む実施形態において、クレードル１０は、ロック解除構成から、固定ベース１５を筒１２の出口端部１６の周りに適所に保持するロック構成に、及びロック構成からロック解除構成に移行することができるロックデバイス５１を含み、収容クレードル１０を筒１２の出口端部１６に固定するステップ１０１は、ラッチノーズ３６を筒１２のカラー４２の一部と係合させるステップ１１１と、第１の軸Ｘと実質的に垂直な第２の軸Ｙの周りに収容クレードル１０を回転させるステップ１１２と、ロックデバイス５１をロックするステップ１１３とを含んでもよい。
【００４０】
圧縮空気１３を筒１２に注入するステップ１０２は、圧縮空気源を筒１２の弁に接続するステップ１２１と、筒１２内に圧縮空気を抜くステップ１２２とを含んでもよい。
【００４１】
軍需品１１を収容バッグ１７に収容するステップ１０４は、軍需品１１を拘束コーン２５によって拘束するステップ１４１と、軍需品１１を収容バッグ１７に置くステップ１４２と、除去軍需品１１を供給するステップ１４３とを含んでもよい。
【００４２】
クレードルを固定するステップ１０１の前に、方法は、クレードルを準備するステップを含んでもよい。このステップでは、伸縮アーム２１、２２の場合、折り畳み位置で伸縮アームを保持する２つのピンを取り外し、伸縮アーム２１、２２及び収容バッグ１７を展開することによって収容クレードルを展開する必要がある。次に、ピンを交換して、展開位置でアーム２１、２２を保持する必要がある。必要ならば、次のステップは、軍需品１１の退出を妨げないように収容バッグ１７を再配置することである。
【００４３】
クレードルを準備するステップの後、本発明による方法は、筒を準備するステップを含んでもよい。このステップは、筒のカラーを回収し、筒の出口端部にカラーを位置決めすることである。代わりに、筒に装着されたカラーを使用することができる。
【００４４】
軍需品を収容バッグに収容するステップ１０４の後、収容クレードル１０を筒の適切な位置に置いておくことができ、又は収容クレードル１０を取り外すことができる。収容クレードルを取り外すステップを含む本発明による方法の場合、事前に、圧縮空気源の弁を閉じる必要がある。収容クレードルを取り外すステップは、ロック構成からロック解除構成に移行することができるために、ロックデバイスをロック解除するステップを含む。有利なことに、取り外しステップは、突然のアンラッチを回避するために、収容クレードルのユーザによって保持するステップも含む。最後に、取り外しステップは、収容クレードルを筒から完全に分離するために、第２の軸Ｙの周りにラッチノーズで収容クレードルを回転させるステップを含む。その後、収容クレードルを同じ筒又は別の筒で再利用することができる。
【００４５】
この明細書から出てくるように、本発明によるデバイス及び関連除去方法は、２つの主な新規な特徴を用いて、銃口を介して大砲兵器軍需品を除去することができる。筒の銃口の前にユーザの身体の全部又は一部を通すようにユーザに要求するステップはないので、ユーザに危険を及ぼすことなく、全除去操作が行われる。収容クレードルは、１つのタイプの軍需品（換言すれば、「信管」、即ち、軍需品の前部チップ）に特有でない。本発明による除去方法は、筒における軍需品の位置がどこでも、筒から軍需品を除去することができる。
【００４６】
拘束コーンを有する収容クレードル１０の構成は、非常に重要である。圧縮空気を筒１２に注入するステップ１０２の間に、空気の圧力を調整する必要がない。一旦空気圧システムが筒の弁でホースによって設置されると、必要なのは、空気が注入される圧力を心配することなく、空気圧システムの弁を開けることだけである。換言すれば、本発明は、空気圧システムを筒に接続し、最大使用可能圧力で圧縮空気を注入することができる。
【００４７】
有利なことに、空気圧システムは、独立型であり、空気を再投入するポンプを含む。
【００４８】
除去方法は、単純且つ迅速であり、軍事行動展開状況（即ち、軍事行動の戦域）における使用に適合する。収容クレードルは、運びやすい。
【符号の説明】
【００４９】
５  エキストラクター
６  つめ
７  信管
８  ハンドル
１０  収容クレードル
１１  軍需品
１２  筒
１３  排出手段
１４  構造体
１５  固定ベース
１６  出口端部
１７  収容バッグ
１９  第１の端部
２１  第１のアーム
２２  第２のアーム
２３  内部
２４  外部
２５  拘束コーン
２６  第２の端部
２７  デバイス
３１、３２  横ストラップ
３３、３４  ラッチ点
３５  装着ストラップ
３６  ラッチノーズ
４２  カラー
４３  外部
５１  ロックデバイス
５２  ハンドル
５３  固定手段
５４  ボール継手接続部
５５  平面座面
５６  湾曲領域
Ｘ  第１の軸
Ｙ  第２の軸
【図１】
2020201035.tif 000003
【図２】
2020201035.tif 000004
【図３】
2020201035.tif 000005
【図４】
2020201035.tif 000006
【図５】
2020201035.tif 000007
【図６】
2020201035.tif 000008
【図７】
2020201035.tif 000009
【図８】
2020201035.tif 000010
【図９】
2020201035.tif 000011
【図１０】
2020201035.tif 000012
【外国語明細書】
2020201035000001.pdf